(57)【要約】      （修正有）【課題】長時間の高機能の濾過効果と高い通気率及び雨よけ機能を具えた複合式マスクの提供。【解決手段】ろ材マスク１０、雨よけマスク２０で構成され、ろ材マスクのケースに多数のろ材が収容され、ろ材マスクケースの前ケースと後ろケースに通気網孔が設けられ、長時間の高機能の濾過効果と高い通気率を有し、ろ材マスクと雨よけマスクの間に自然に下向きに開放された空腔３０が形成され、これによりろ材マスクが雨や噴水で濡れるのを防止する雨よけ機能も有している。【選択図】図１
0003108798.tif 000002
【実用新案登録請求の範囲】
【請求項１】
ろ材マスク、及び雨よけマスクで構成された複合式マスク。
【請求項２】
請求項１記載の複合式マスクにおいて、ろ材マスクがろ材マスク本体とバンド装置で組成されたことを特徴とする、複合式マスク。
【請求項３】
請求項２記載の複合式マスクにおいて、ろ材マスク本体がろ材マスクケースと複数のろ材で構成されたことを特徴とする、複合式マスク。
【請求項４】
請求項２記載の複合式マスクにおいて、ろ材マスク本体のろ材マスクケースが前ケースと後ろケースで構成され、ろ材マスクケースの前ケースと後ろケースに複数の通気網孔が設けられ、ろ材マスクの前ケースと後ろケースの間に厚さを有する空間が形成されてこの空間に複数のろ材が装填されたことを特徴とする、複合式マスク。
【請求項５】
請求項１、３、４のいずれかに記載の複合式マスクにおいて、ろ材マスクケースが面体形状に形成されたことを特徴とする、複合式マスク。
【請求項６】
請求項１記載の複合式マスクにおいて、雨よけマスクが面体形状に形成されたことを特徴とする、複合式マスク。
【請求項７】
請求項１、４、５、６のいずれかに記載の複合式マスクにおいて、ろ材マスクケースの前ケースが雨よけマスクの背面の凹部より小さく、ろ材マスクケースと雨よけマスクが接合されてろ材マスクケースと雨よけマスクの背面の凹部の間に下向きに開放状の空腔が形成されたことを特徴とする、複合式マスク。
【考案の詳細な説明】
【技術分野】
【０００１】
本考案は一種の複合式マスクに係り、特に、ろ材マスクと雨よけマスクを具え、複数のろ材を収容し、長時間の高機能の濾過効果と高い通気率を有する複合式マスクに関する。
【背景技術】
【０００２】
マスクの着用により人々は生活環境の空気中の有害物が人体に進入したり人体より吐出された空気中のウイルス或いは病原菌が外界空気を汚染するのを防止できる。一般に布製、或いは医療用マスクはいずれも平面型に製造され、且ついずれも耳朶にマスクのバンドを掛けて着用される。顔型の円弧は非平面で、更に耳朶は過大な張力に耐えられないため、このようなタイプのマスクの漏洩は相当に厳重で、その漏洩率は５０％にも達する。工業用マスクは一般にカップ型に形成され、一般にカップ型マスクの長所は使用者の口鼻に対する被覆面積が特大で、ほぼ完全に密封でき、側部からの漏洩がなく、通気率が高いことである。ただし一般にカップ型マスクの中間層は活性炭繊維濾過層及び抗菌繊維層とされ、活性炭繊維濾過層の単位面積に粘着される活性炭数量は有限であり、長時間気体状或いは粉状の有害物質を有効に濾過することは難しく、このためほとんどはフィルタボンベを具えたマスクを採用し、マスクに付設されたフィルタボンベに吸着剤（よく見られるものに有機溶剤を吸着させた活性炭）が装填されている。但し周知のフィルタボンベを具えたカップ型マスクは、その通気範囲が該フィルタボンベの口径サイズに局限され、このため使用者が長時間着用すると、呼吸に力がかかる感覚を覚えるほか、使用場所が屋外であると、フィルタボンベが外界環境の噴水や雨の影響を受け、そのフィルタボンベ内のろ材の機能が低下した。
【考案の開示】
【考案が解決しようとする課題】
【０００３】
本考案の主要な目的は、ろ材マスクを具え、ろ材マスクケースの前ケースと後ろケースそれぞれに複数の通気網孔が設けられ、ろ材マスクの前ケースと後ろケースの間に厚さを有する空間が形成されて複数のろ材が収容され、長時間の高機能の濾過効果を有する複合式マスクを提供することにある。
【０００４】
本考案の次の目的は、雨よけマスクを具え、ろ材マスクが雨や噴水に濡れるのを防止する機能を具えた複合式マスクを提供することにある。
【０００５】
本考案は一種の複合式マスクを提供し、それはろ材マスク及び雨よけマスクを具え、そのうち、ろ材マスクはろ材マスク本体とバンド装置で組成され、バンド装置はパッドと二つのバンドを具えている。ろ材マスク本体はろ材マスクケースと複数のろ材を具え、そのうちろ材マスクケースは前ケースと後ろケースで組成され、ろ材マスクケースの前ケースと後ろケースに多数の通気網孔が設けられ、ろ材マスクケースの前ケースと後ろケースの間に厚さを有する空間が形成されて多数のろ材が装填される。ろ材マスクケースと雨よけマスクは面体形状に形成され、ろ材マスクケースの前ケースはろ材マスクケースの後ろケース背面の凹部よりやや小さく、ろ材マスクケースと雨よけマスクが接合され、ろ材マスクケースと雨よけマスクの背面の凹部間に自然に下向きに開放状の空腔が形成され、これにより本考案の複合式マスクが長時間の高機能の濾過効果と高い通気率を具備するほか、ろ材マスクが噴水や雨に濡れるのを防止する雨よけ機能を具備するものとされている。
【課題を解決するための手段】
【０００６】
請求項１の考案は、ろ材マスク、及び雨よけマスクで構成された複合式マスク。
請求項２の考案は、請求項１記載の複合式マスクにおいて、ろ材マスクがろ材マスク本体とバンド装置で組成されたことを特徴とする、複合式マスクとしている。
請求項３の考案は、請求項２記載の複合式マスクにおいて、ろ材マスク本体がろ材マスクケースと複数のろ材で構成されたことを特徴とする、複合式マスクとしている。
請求項４の考案は、請求項２記載の複合式マスクにおいて、ろ材マスク本体のろ材マスクケースが前ケースと後ろケースで構成され、ろ材マスクケースの前ケースと後ろケースに複数の通気網孔が設けられ、ろ材マスクの前ケースと後ろケースの間に厚さを有する空間が形成されてこの空間に複数のろ材が装填されたことを特徴とする、複合式マスクとしている。
請求項５の考案は、請求項１、３、４のいずれかに記載の複合式マスクにおいて、ろ材マスクケースが面体形状に形成されたことを特徴とする、複合式マスクとしている。
請求項６の考案は、請求項１記載の複合式マスクにおいて、雨よけマスクが面体形状に形成されたことを特徴とする、複合式マスクとしている。
請求項７の考案は、請求項１、４、５、６のいずれかに記載の複合式マスクにおいて、ろ材マスクケースの前ケースが雨よけマスクの背面の凹部より小さく、ろ材マスクケースと雨よけマスクが接合されてろ材マスクケースと雨よけマスクの背面の凹部の間に下向きに開放状の空腔が形成されたことを特徴とする、複合式マスクとしている。
【考案の効果】
【０００７】
本考案の複合式マスクは長時間の高機能の濾過効果と高い通気率を具備するほか、ろ材マスクが噴水や雨に濡れるのを防止する雨よけ機能を具備している。
【考案を実施するための最良の形態】
【０００８】
図１に示されるように、本考案の実施例の複合式マスク１は、ろ材マスク１０、雨よけマスク２０を具えている。図２に示されるように、ろ材マスク１０はろ材マスク本体１１とバンド装置１２で組成され、そのうちバンド装置１２はパッド１２１と二つのバンド１２２、１２３を具えている。図２、３に示されるように、ろ材マスク本体１１はろ材マスクケース１１１と二枚の抗菌除臭繊維布１１２、１１３と複数の活性炭１１４（或いはナノ金粒、或いはナノ金銀合金等のガス状有害物或いは粒状有害物を防護できるろ材）を具え、ろ材マスクケース１１１は前ケース１１１１と後ろケース１１１２で組成され、ろ材マスクケース１１１の前ケース１１１１と後ろケース１１１２に多数の通気網孔１１１１１、１１１２１が設けられ、ろ材マスクケース１１１の前ケース１１１１と後ろケース１１１２の間に厚さを有する空間が形成され、この空間内にあって、前ケース１１１１内側に抗菌除臭繊維布１１２が貼り付けられ、後ろケース１１１２内側にも抗菌除臭繊維布１１３が貼り付けられ、抗菌除臭繊維布１１２、１１３の間に複数の活性炭１１４（或いはナノ金粒、或いはナノ金銀合金等のガス状有害物或いは粒状有害物を防護できるろ材）が充填される。図１から図５に示されるように、ろ材マスクケース１１１及び雨よけマスク２０はいずれも面体形状に形成されている。ろ材マスクケース１１１の前ケース１１１１は雨よけマスクの背面の凹部２０１よりやや小さく、ろ材マスクケース１１１と雨よけマスク２０が接合され、ろ材マスクケース１１１と雨よけマスクの背面の凹部２０１の間に下向きに開放状の空腔３０が形成され、これにより本考案の複合式マスク１が長時間の高機能の濾過効果と高い通気率を具備するものとされるほか、ろ材マスクが雨や噴水に濡れるのを防止する雨よけ機能を具備するものとされる。
【０００９】
本考案の実施例の複合式マスク１のろ材マスク１０は使用者の口鼻に対する被覆面積が大きく、ほぼ完全に密封でき、側部漏洩を形成せず、そのうち、ろ材マスクケース１１１は前ケース１１１１と後ろケース１１１２で組成され、前ケース１１１１に複数の通気網孔１１１１１が設けられ、後ろケース１１１２にも複数の通気網孔１１１２１が設けられ、ろ材マスクケース１１１と雨よけマスク２０が接合され、ろ材マスクケース１１１と雨よけマスク２０の背面の凹部２０１の間に自然に下向きに開放状の空腔３０が形成され、本考案の実施例の複合式マスク１がろ材マスク１０の持っている長時間の高機能の濾過効果と高い通気率を維持するほか、雨よけの機能を具え、本考案の実施例の複合式マスク１のろ材マスク１０が作業場所での雨水或いは噴水により濡れるのが防止される。
【００１０】
以上は本考案の好ましい実施例の説明であって、本考案の範囲を限定するものではなく、本考案に基づきなしうる細部の修飾或いは改変は、いずれも本考案の請求範囲に属する。例えば図６は本考案の別の実施例の複合式マスク６を示し、それは単一のろ材マスク６０で形成され、前述の実施例の雨よけマスクが排除されて雨よけ機能を具備しないものとされるが、その他の構造と機能はいずれも前述の実施例と同じである。
【図面の簡単な説明】
【００１１】
【図１】本考案の複合式マスクの分解図である。
【図２】本考案の複合式マスクのろ材マスクの分解図である。
【図３】本考案の複合式マスクのろ材マスク本体の分解図である。
【図４】本考案の複合式マスクの組合せ図である。
【図５】本考案の複合式マスクの断面図である。
【図６】本考案の別の実施例の複合式マスクの断面図である。
【符号の説明】
【００１２】
１、６  複合式マスク
１０、６０  ろ材マスク
１１、６１  ろ材マスク本体
１１１２、６１１２  後ろケース
１１１１１、１１１２１  通気網孔
１１２、１１３、６１２、６１３  抗菌除臭繊維布
１１４、６１４  活性炭
１２、６２  バンド装置
１２１、６２１  パッド
１２２、１２３、６２２、６２３  バンド
２０  雨よけマスク
２０１  凹部
３０  空腔
【図１】
0003108798.tif 000003
【図２】
0003108798.tif 000004
【図３】
0003108798.tif 000005
【図４】
0003108798.tif 000006
【図５】
0003108798.tif 000007
【図６】
0003108798.tif 000008
【手続補正書】
【提出日】平成16年11月19日(2004.11.19)
【手続補正１】
【補正対象書類名】実用新案登録請求の範囲
【補正対象項目名】全文
【補正方法】変更
【補正の内容】
【実用新案登録請求の範囲】
【請求項１】
ろ材マスク、及び雨よけマスクで構成された複合式マスクであり、ろ材マスクがろ材マスク本体とバンド装置で組成され、ろ材マスク本体がろ材マスクケースと複数のろ材で構成され、ろ材マスク本体のろ材マスクケースが前ケースと後ろケースで構成され、ろ材マスクケースの前ケースと後ろケースに複数の通気網孔が設けられ、ろ材マスクの前ケースと後ろケースの間に厚さを有する空間が形成されてこの空間に複数のろ材が装填され、ろ材マスクケースが面体形状に形成され、雨よけマスクが面体形状に形成され、ろ材マスクケースの前ケースが雨よけマスクの背面の凹部より小さく、ろ材マスクケースと雨よけマスクが接合されてろ材マスクケースと雨よけマスクの背面の凹部の間に下向きに開放状の空腔が形成されたことを特徴とする、複合式マスク。
【手続補正２】
【補正対象書類名】明細書
【補正対象項目名】０００６
【補正方法】変更
【補正の内容】
【０００６】
請求項１の考案は、ろ材マスク、及び雨よけマスクで構成された複合式マスクであり、ろ材マスクがろ材マスク本体とバンド装置で組成され、ろ材マスク本体がろ材マスクケースと複数のろ材で構成され、ろ材マスク本体のろ材マスクケースが前ケースと後ろケースで構成され、ろ材マスクケースの前ケースと後ろケースに複数の通気網孔が設けられ、ろ材マスクの前ケースと後ろケースの間に厚さを有する空間が形成されてこの空間に複数のろ材が装填され、ろ材マスクケースが面体形状に形成され、雨よけマスクが面体形状に形成され、ろ材マスクケースの前ケースが雨よけマスクの背面の凹部より小さく、ろ材マスクケースと雨よけマスクが接合されてろ材マスクケースと雨よけマスクの背面の凹部の間に下向きに開放状の空腔が形成されたことを特徴とする、複合式マスクとしている。